(57)【要約】【課題】  施工性が改善されてなる基礎の柱脚部構造およびその構築方法を提供することを目的としている。【解決手段】  本発明の基礎の柱脚部構造Ｋは、基礎ブロック１０を備え、前記基礎ブロック１０が、鉄骨ＣのベースプレートＰとボルト締結される鉄骨側プレート１２を有するもので、前記基礎ブロック１０に仕口部材２０を接合した後に基礎の所定位置にセットされ、鉄骨側プレート１２に鉄骨ＣのベースプレートＰが載置され、両プレート１２，Ｐがボルト締結されて鉄骨Ｃの建方がなされる。【選択図】  図１
2005273299.tif 000002
【特許請求の範囲】
【請求項１】
基礎の柱脚部構造であって、基礎ブロックを備え、
前記基礎ブロックが、鉄骨のベースプレートとボルト締結される鉄骨側プレートを有することを特徴とする基礎の柱脚部構造。
【請求項２】
鉄骨側プレートが補強部材により補強されてなることを特徴とする請求項１記載の基礎の柱脚部構造。
【請求項３】
補強部材が鉄骨と同サイズとされてなることを特徴とする請求項２記載の基礎の柱脚部構造。
【請求項４】
補強部材が鉄骨側プレート裏面において鉄骨の真下に配設されてなることを特徴とする請求項２記載の基礎の柱脚部構造。
【請求項５】
基礎ブロックに仕口部材が接合されてなることを特徴とする請求項１記載の基礎の柱脚部構造。
【請求項６】
基礎の柱脚部構造の構築方法であって、
鉄骨のベースプレートとボルト締結される鉄骨側プレートを有する基礎ブロックを製作する手順と、
前記基礎ブロックに仕口部材を接合する手順と、
前記仕口部材が接合された基礎ブロックを基礎の所定位置にセットする手順
とを含んでいることを特徴とする基礎の柱脚部構造の構築方法。
【請求項７】
基礎の柱脚部構造に用いられる基礎ブロックであって、
鉄骨のベースプレートとボルト締結される鉄骨側プレートを有することを特徴とする基礎ブロック。
【請求項８】
鉄骨側プレートが補強部材により補強されてなることを特徴とする請求項７記載の基礎ブロック。
【請求項９】
補強部材が鉄骨と同サイズとされてなることを特徴とする請求項７記載の基礎ブロック。
【請求項１０】
補強部材が鉄骨側プレート裏面において鉄骨の真下に配設されてなることを特徴とする請求項７記載の基礎ブロック。
【発明の詳細な説明】
【技術分野】
【０００１】
本発明は基礎の柱脚部構造およびその構築方法に関する。さらに詳しくは、構築を簡素化できる基礎の柱脚部構造およびその構築方法に関する。
【背景技術】
【０００２】
従来より、鉄骨コンクリート基礎の柱脚部においては、図８および図９に示すような柱脚部構造Ｋ‘が用いられている。
【０００３】
すなわち、角型鋼管からなる基礎軸部材１０１と、この基礎軸部材１０１の下端部に接合されたＨ型鋼からなる仕口部材１０２と、この仕口部材１０２の回りに所定配列にて配設された鉄筋１０３とを備えてなる柱脚部構造Ｋ‘が用いられている。そして、この仕口部材１０２にＨ型鋼からなる基礎鉄骨を接合した後、コンクリートの打設がなされて鉄骨コンクリート基礎が完成され、ついで軸部材１０１先端に柱下端が溶接接合されて鉄骨の構築がなされる。
【０００４】
しかしながら、この軸部材１０１先端と柱下端とが溶接接合が現場溶接によりなされるため、その作業に慎重を要し施工性が悪いという問題がある。
【発明の開示】
【発明が解決しようとする課題】
【０００５】
本発明はかかる従来技術の課題に鑑みさなれたものであって、施工性が改善されてなる基礎の柱脚部構造およびその構築方法を提供することを目的としている。
【課題を解決するための手段】
【０００６】
本発明の基礎の柱脚部構造は、基礎の柱脚部構造であって、基礎ブロックを備え、前記基礎ブロックが、鉄骨のベースプレートとボルト締結される鉄骨側プレートを有することを特徴とする。
【０００７】
本発明の基礎の柱脚部構造においては、鉄骨側プレートが補強部材により補強されてなるのが好ましい。
【０００８】
また、本発明の基礎の柱脚部構造においては、補強部材が鉄骨と同サイズとされてなるのが好ましい。
【０００９】
さらに、本発明の基礎の柱脚部構造においては、補強部材が鉄骨側プレート裏面において鉄骨の真下に配設されてなるのが好ましい。
【００１０】
さらに、本発明の基礎の柱脚部構造においては、基礎ブロックに仕口部材が接合されてなるのが好ましい。
【００１１】
本発明の基礎の柱脚部構造の構築方法は、基礎の柱脚部構造の構築方法であって、鉄骨のベースプレートとボルト締結される鉄骨側プレートを有する基礎ブロックを製作する手順と、前記基礎ブロックに仕口部材を接合する手順と、前記仕口部材が接合された基礎ブロックを基礎の所定位置にセットする手順とを含んでいることを特徴する。
【００１２】
本発明の基礎ブロックは、基礎の柱脚部構造に用いられる基礎ブロックであって、鉄骨のベースプレートとボルト締結される鉄骨側プレートを有することを特徴とする。
【００１３】
本発明の基礎ブロックにおいては、鉄骨側プレートが補強部材により補強されてなるのが好ましい。
【００１４】
また、本発明の基礎ブロックにおいては、補強部材が鉄骨と同サイズとされてなるのが好ましい。
【００１５】
さらに、本発明の基礎ブロックにおいては、補強部材が鉄骨側プレート裏面において鉄骨の真下に配設されてなるのが好ましい。
【発明の効果】
【００１６】
本発明によれば、基礎の柱脚部構造と鉄骨との現場溶接することなく鉄骨の建方がなし得るので、品質の向上を図りながら迅速な施工がなし得るという優れた効果が得られる。
【発明を実施するための最良の形態】
【００１７】
以下、添付図面を参照しながら本発明を実施形態に基づいて説明するが、本発明はかかる実施形態のみに限定されるものではない。
【００１８】
本発明の一実施形態に係る基礎の柱脚部構造(以下、単に柱脚部構造という)を図１に示す。
【００１９】
柱脚部構造Ｋは、図１に示すように、基礎ブロック１０と、この基礎ブロック１０に一端部が接合されているＨ型鋼からなる仕口梁(仕口部材)２０，２０，・・・とを主要構成要素として備えてなる。なお、図中、符号３０はコンクリートを示し、Ｃは鉄骨を示し、Ｐは鉄骨のベースプレートを示し、Ｂはワンサイドボルトを示す。
【００２０】
基礎ブロック１０は、ベースプレート１１と、鉄骨(角型鋼管)ＣのベースプレートＰを受ける鉄骨側プレート１２と、ベースプレート１１と鉄骨側プレート１２とを接合している接合部材１３と、接合部材１３内において両プレート１１，１２間に配設されて鉄骨側プレート１２の補強をなす補強部材１４とを備えてなるものとされる。
【００２１】
ベースプレート１１は、鉄骨ＣのベースプレートＰより大きい所定サイズとされた所定厚さの四角形平板とされる。
【００２２】
鉄骨側プレート１２は、ベースプレート１１と同サイズとされた所定厚さの四角形平板とされる。この鉄骨側プレート１２の４隅には、鉄骨ＣのベースプレートＰに設けられたボルト挿通孔に対応させたボルト挿通孔(明瞭には図示されていない)が形成されている。
【００２３】
接合部材１３は、ボルト挿通孔からのワンサイドボルトＢの挿通に支障のないサイズの角型鋼管とされる。
【００２４】
補強部材１４は、鉄骨Ｃに用いられる角型鋼管と同サイズの角型鋼管とされ、かつ接合部材１３と同一寸法とされ、接合部材１３内に鉄骨Ｃの真下に位置させて配設されている。補強部材１４を角型鋼管と同サイズの角型鋼管とすることにより、鉄骨Ｃの端材を利用することができて材料費を実質的にゼロとすることができる。
【００２５】
基礎ブロック１０の適宜面(図示例においては４面)に基礎鉄骨(Ｈ型鋼)と接合される仕口部材(Ｈ型鋼)２０が接合されている。例えば、Ｈ型鋼のフランジが両プレート１１，１２端面に突合溶接にて接合され、ウエブが両プレート１１，１２の裏面および接合部材１３の側面に隅肉溶接にて接合されている。
【００２６】
次に、図２〜図７を参照しながら、かかる構成とされている柱脚部構造Ｋの構築方法の一例について説明する。
【００２７】
手順１：ボルト挿通孔が形成された鉄骨側プレート１２に、補強部材１４の一端を鉄骨Ｃに対応させた位置に溶接接合する(図２参照)。
【００２８】
手順２：鉄骨側プレート１２に接合部材１３の一端を、補強部材１４との間にワンサイドボルトＢの収容空間が形成されるようにして溶接接合する(図３参照)。
【００２９】
手順３：接合部材１３の他端をベースプレート１１に溶接接合する。これにより、基礎ブロック１０が完成する(図４参照)。この場合、下向き溶接で溶接がなし得るよう鉄骨側プレート１２を上となるように天地を逆にするのが好ましい。
【００３０】
手順４：基礎ブロック１０の所定位置に仕口梁(Ｈ型鋼)２０を溶接接合する(図５参照)。
【００３１】
手順５：仕口梁２０が接合された基礎ブロック１０を施工現場に搬入して所定位置にセットする。
【００３２】
手順６：仕口梁２０に基礎鉄骨をボルト接合する。
【００３３】
手順７：鉄骨側プレート１２上面を養生しながらコンクリート３０を打設して鉄骨コンクリート基礎を完成させる(図６参照)。
【００３４】
手順８：鉄骨側プレート１２上面に鉄骨ＣのベースプレートＰを載置して鉄骨側プレート１２と鉄骨ＣのベースプレートＰとをワンサイドボルトＢにより締結する。
【００３５】
このように、この実施形態によれば、現場溶接することなく柱の建方がなし得るので施工性がよい。そのため、品質の向上を図りながら迅速な施工がなし得て工期が短縮される。
【００３６】
柱脚部構造Ｋも両端にプレート１１，１２が接合された基礎ブロック(基礎鉄骨と高さと同一高さとされている)１０に仕口梁２０を接合した簡素な構成であるので、製作も容易になし得る。また、鉄骨側プレート１２を補強部材１４により補強しているので、鉄骨側プレート１２の厚さの増大を抑制しながら、所望強度が確保される。しかも、補強部材１４は鉄骨Ｃの端材を利用しているので、補強部材１４に要する材料費を実質的にゼロとすることができる。
【００３７】
以上、本発明を実施形態に基づいて説明してきたが、本発明はかかる実施形態のみに限定されるものではなく、種々改変が可能である。例えば、本実施形態では鉄骨コンクリート基礎を例に取り説明されているが、本発明は鉄骨基礎についても適用可能である。その場合、先行埋め戻しを行っても、鉄骨の建方に支障は生じない。    
【産業上の利用可能性】
【００３８】
本発明は柱脚部と接合がなされる鉄骨コンクリート基礎および鉄骨基礎に適用できる。
【図面の簡単な説明】
【００３９】
【図１】本発明の一実施形態に係る基礎の柱脚部構造の２面図であって、同(ａ)は平面図を示し、同(ｂ)は正面図を示す。
【図２】同実施形態の柱脚部構造の構築方法の説明図であって、鉄骨側プレートに補強部材が接合された状態を示す。
【図３】同実施形態の柱脚部構造の構築方法の説明図であって、鉄骨側プレートに接合部材が接合された状態を示す。
【図４】同実施形態の柱脚部構造の構築方法の説明図であって、ベースプレートに接合部材が接合された状態を示す。
【図５】同実施形態の柱脚部構造の構築方法の説明図であって、基礎ブロックに仕口梁が接合された状態を示す。
【図６】同実施形態の柱脚部構造の構築方法の説明図であって、鉄骨コンクリート基礎が完成した状態を示す。
【図７】同実施形態の柱脚部構造の構築方法の説明図であって、鉄骨側プレートに鉄骨のベースプレートが締結された状態を示す。
【図８】従来の柱脚部構造の斜視図である。
【図９】同概略図である。
【符号の説明】
【００４０】
１０      基礎ブロック
１１      ベースプレート
１２      鉄骨側プレート
１３      接合部材
１４      補強部材
２０      仕口部材、仕口梁
３０      コンクリート
Ｃ      鉄骨
Ｐ      ベースプレート
Ｂ      ワンサイドボルト
【図１】
2005273299.tif 000003
【図２】
2005273299.tif 000004
【図３】
2005273299.tif 000005
【図４】
2005273299.tif 000006
【図５】
2005273299.tif 000007
【図６】
2005273299.tif 000008
【図７】
2005273299.tif 000009
【図８】
2005273299.tif 000010
【図９】
2005273299.tif 000011